(57)【要約】【課題】作動時の静音性に優れる直動案内軸受装置を提供する。【解決手段】直動案内軸受装置は、軸方向に延びる転動体転動溝１０を有する案内レール１と、転動体転動溝１０に対向する転動体転動溝１１を有するスライダ２と、両転動体転動溝１０，１１の間に転動自在に配された複数の転動体３と、を備えている。そして、スライダ２の外面の少なくとも一部（スライダ本体２Ａ及びエンドキャップ２Ｂの側面）は、吸音性又は遮音性を有する静音材２１で覆われており、熱収縮チューブ２２を用いたラッピング加工により固定されている。【選択図】  図２
2006071021.tif 000002
【特許請求の範囲】
【請求項１】
軸方向に延びる転動体軌道を外面に有する案内レールと、該案内レールの転動体軌道に対向する転動体軌道を有するとともに前記軸方向に相対移動可能に前記案内レールに取り付けられたスライダと、前記両転動体軌道の間に転動自在に配された複数の転動体と、を備える直動案内軸受装置において、吸音性又は遮音性を有する静音材で前記スライダの外面の少なくとも一部を覆ったことを特徴とする直動案内軸受装置。
【請求項２】
前記静音材はゴム又は樹脂を主成分とすることを特徴とする請求項１に記載の直動案内軸受装置。
【請求項３】
前記静音材と前記スライダとが、熱収縮チューブを用いたラッピング加工により固定されていることを特徴とする請求項１又は請求項２に記載の直動案内軸受装置。
【請求項４】
前記静音材と前記スライダとが接着により固定されていることを特徴とする請求項１又は請求項２に記載の直動案内軸受装置。
【発明の詳細な説明】
【技術分野】
【０００１】
本発明は、作動時の静音性に優れる直動案内軸受装置に関する。
【背景技術】
【０００２】
直動案内軸受装置は、スライダが案内レール上を走行する際に作動音が発生するので、従来から作動音を抑える工夫がなされていた。例えば、特許文献１には、転動体間に保持ピースを介装することにより、作動性と静音性と高めた直動案内軸受装置が開示されている。
【特許文献１】特開２００２−２１８４９号公報
【発明の開示】
【発明が解決しようとする課題】
【０００３】
しかしながら、特許文献１に開示された直動案内軸受装置は、高い静音性が求められる環境下での使用を考えると、さらなる静音性の向上が必要であった。
そこで、本発明は、上記のような従来の直動案内軸受装置が有する問題点を解決し、作動時の静音性に優れる直動案内軸受装置を提供することを課題とする。
【課題を解決するための手段】
【０００４】
前記課題を解決するため、本発明は次のような構成からなる。すなわち、本発明に係る請求項１の直動案内軸受装置は、軸方向に延びる転動体軌道を外面に有する案内レールと、該案内レールの転動体軌道に対向する転動体軌道を有するとともに前記軸方向に相対移動可能に前記案内レールに取り付けられたスライダと、前記両転動体軌道の間に転動自在に配された複数の転動体と、を備える直動案内軸受装置において、吸音性又は遮音性を有する静音材で前記スライダの外面の少なくとも一部を覆ったことを特徴とする。
【０００５】
また、本発明に係る請求項２の直動案内軸受装置は、請求項１に記載の直動案内軸受装置において、前記静音材はゴム又は樹脂を主成分とすることを特徴とする。
さらに、本発明に係る請求項３の直動案内軸受装置は、請求項１又は請求項２に記載の直動案内軸受装置において、前記静音材と前記スライダとが、熱収縮チューブを用いたラッピング加工により固定されていることを特徴とする。
さらに、本発明に係る請求項４の直動案内軸受装置は、請求項１又は請求項２に記載の直動案内軸受装置において、前記静音材と前記スライダとが接着により固定されていることを特徴とする。
【発明の効果】
【０００６】
本発明の直動案内軸受装置は、作動時の静音性に優れる。
【発明を実施するための最良の形態】
【０００７】
本発明に係る直動案内軸受装置の実施の形態を、図面を参照しながら詳細に説明する。図１は、本発明に係る直動案内軸受装置の一実施形態を示す斜視図であり、図２は、図１の直動案内軸受装置を軸方向から見た正面図（ただし、エンドキャップを省略して図示している）である。
軸方向に延びる横断面略角形の案内レール１上に、横断面形状が略コ字状のスライダ２が軸方向に相対移動可能に取り付けられている。この案内レール１の上面と両側面１ａ，１ａとが交差する稜線部には、軸方向に延びる断面ほぼ１／４円弧形状の凹溝からなる転動体転動溝１０，１０が形成され、また、案内レール１の両側面１ａ，１ａの中間位置には、軸方向に延びる断面ほぼ半円形の凹溝からなる転動体転動溝１０，１０が形成されている。この転動体転動溝１０の内面が、後述する転動体３の軌道（転動体軌道）を形成している。
【０００８】
また、スライダ２は、スライダ本体２Ａと、その軸方向両端部に着脱可能に取り付けられたエンドキャップ２Ｂ，２Ｂと、で構成されており、さらに、スライダ２の両端部（各エンドキャップ２Ｂの端面）には、案内レール１とスライダ２との間の隙間の開口をシールするサイドシール５，５が装着されている。
さらに、スライダ本体２Ａの両袖部６，６の内側面の角部には、案内レール１の転動体転動溝１０，１０に対向する断面ほぼ半円形の転動体転動溝１１，１１が形成され、両袖部６，６の内側面の中央部には、案内レール１の転動体転動溝１０，１０に対向する断面ほぼ半円形の転動体転動溝１１，１１が形成されている。この転動体転動溝１１の内面が、後述する転動体３の軌道（転動体軌道）を形成している。
【０００９】
そして、案内レール１の転動体転動溝１０，１０，１０，１０と両袖部６，６の転動体転動溝１１，１１，１１，１１とで、断面ほぼ円形の転動体転動路１４，１４，１４，１４が形成されていて、これらの転動体転動路１４は軸方向に延びている。なお、案内レール１及びスライダ２が備える転動体転動溝１０，１１の数は片側二列に限らず、例えば片側一列又は三列以上などであってもよい。
さらにまた、スライダ２は、スライダ本体２Ａの袖部６，６の肉厚部分の上部及び下部に、転動体転動路１４と平行をなして軸方向に貫通する断面円形の貫通孔からなる転動体戻し路１３，１３，１３，１３を備えている。
【００１０】
一方、図示はされていないが、断面略コ字状のエンドキャップ２Ｂ，２Ｂは、スライダ本体２Ａとの当接面（裏面）に、転動体転動路１４とこれに平行な転動体戻し路１３とを連通させる半ドーナッツ状の湾曲路を有しており、これら転動体転動路１４と転動体戻し路１３と両端の湾曲路とで、略環状の転動体循環路が形成されている。この転動体循環路内には、例えば鋼球からなる多数の転動体（ボール）３が転動自在に装填されている。
【００１１】
案内レール１に組みつけられたスライダ２を案内レール１に沿って軸方向に移動させると、転動体転動路１４内に装填されている転動体３は、転動体転動路１４内を転動しつつ案内レール１に対してスライダ２と同方向に移動する。そして、転動体３が転動体転動路１４の一端に達すると、エンドキャップ２Ｂ内に備えられたタング部によって転動体転動路１４からすくい上げられ、湾曲路へ送られる。
【００１２】
湾曲路に入った転動体３はＵターンして転動体戻し路１３に導入され、転動体戻し路１３を通って反対側の湾曲路に至る。ここで再びＵターンして転動体転動路１４に戻り、このような転動体循環路内の循環を無限に繰り返す。
このような直動案内軸受装置のスライダ２の外面の少なくとも一部（図１において破線が付されている部分）は、吸音性又は遮音性を有する静音材２１で覆われている。そのため、スライダ２が案内レール１上を走行する際にスライダ２の内部で発生する作動音は、静音材２１に吸収されるか又は内部へ反射されるので、直動案内軸受装置の外部に漏れる作動音が低減される。よって、この直動案内軸受装置は静音性が非常に優れているので、高い静音性が求められる環境下でも問題なく使用することができる。図１に示すように、スライダ本体２Ａ及びエンドキャップ２Ｂの側面を静音材２１で覆ってもよいが、スライダ本体２Ａ及びエンドキャップ２Ｂの上面を覆ってもよいし、側面と上面の両方を覆ってもよい。
【００１３】
なお、静音材２１は、熱収縮チューブ２２を用いたラッピング加工により、スライダ２に固定されている。すなわち、スライダ２の外面を静音材２１で覆った上、熱収縮チューブ２２で包み込んだ後、熱収縮チューブ２２を加熱すると、熱収縮チューブ２２が収縮してラッピング加工され、静音材２１がスライダ２の外面に固定される。ただし、スライダ２に静音材２１を固定する方法は、上記のような熱収縮チューブ２２を用いたラッピング加工に限定されるものではなく、スライダ２の外面に静音材２１を接着により固定する方法も好ましい。
【００１４】
また、静音材２１の材質は、吸音性，遮音性が優れているならば特に限定されるものではないが、ゴム又は樹脂を主成分とするものが好ましい。さらに、静音材２１は一層被覆してもよいが、複数層被覆すれば静音性をより高めることができる。さらに、熱収縮チューブ２２の材質は、静音材２１の固定が可能であれば特に限定されるものではないが、難燃性の硬質ポリ塩化ビニルが好ましい。
さらに、各転動体３間に保持ピースを介装してもよい。そうすれば、直動案内軸受装置の作動性と静音性とを、より高めることができる。
【図面の簡単な説明】
【００１５】
【図１】本発明に係る直動案内軸受装置の一実施形態を示す斜視図である。
【図２】図１の直動案内軸受装置を軸方向から見た正面図である。
【符号の説明】
【００１６】
１      案内レール
２      スライダ
２Ａ    スライダ本体
２Ｂ    エンドキャップ
３      転動体
１０      転動体転動溝
１１      転動体転動溝
２１      静音材
２２      熱収縮チューブ
【図１】
2006071021.tif 000003
【図２】
2006071021.tif 000004